(57)【要約】【課題】ハードディスクドライブを筺体前面から脱着する場合に、防振性さらには電気的、磁気的に改善された情報処理装置を提供することを目的とする。【解決手段】筺体の前面にハードディスクドライブスロットを固定し、ハードディスクドライブスロットに形成された溝内にハードディスクドライブ固定金具により前面と側面を覆われたハードディスクドライブを収納し、ハードディスクドライブスロットの背面にバックボードを固定し、ハードディスクドライブがハードディスクドライブスロットに収納された状態でハードディスクドライブ背面の接続部とバックボードの接続部が当接して電気的に接続される情報処理装置において、ハードディスクドライブ固定金具とハードディスクドライブの間、およびハードディスクドライブスロットの背面とバックボードの間の固定処理は防振ゴムを介して行うことを特徴とする。【選択図】図１
2014116052.tif 000002
【特許請求の範囲】
【請求項１】
筺体の前面にハードディスクドライブスロットを固定し、ハードディスクドライブスロットに形成された溝内にハードディスクドライブ固定金具により前面と側面を覆われたハードディスクドライブを収納し、前記ハードディスクドライブスロットの背面にバックボードを固定し、前記ハードディスクドライブがハードディスクドライブスロットに収納された状態でハードディスクドライブ背面の接続部と前記バックボードの接続部が当接して電気的に接続される情報処理装置において、
前記ハードディスクドライブ固定金具とハードディスクドライブの間、および前記ハードディスクドライブスロットの背面とバックボードの間の固定処理は防振ゴムを介して行うことを特徴とする情報処理装置。
【請求項２】
請求項１に記載の情報処理装置において、
前記筺体内を冷却するための冷却ファンを、防振ゴムを介して前記筺体に固定することを特徴とする情報処理装置。
【請求項３】
請求項１または請求項２に記載の情報処理装置において、
前記ハードディスクドライブ固定金具とハードディスクドライブの間には導伝体を備えることで電気的に接続することを特徴とする情報処理装置。
【請求項４】
請求項１から請求項３のいずれか１項に記載の情報処理装置において、
前記筺体を第１の接地点に接続し、前記バックボードはバックボードに接続されたケーブルを介して第２の接地点に接続されることを特徴とする情報処理装置。
【発明の詳細な説明】
【技術分野】
【０００１】
本発明は、ハードディスクなどの記憶装置をその筺体前面から着脱可能に備える情報処理装置に係り、特に情報処理槽に内部に備える冷却ファンからの振動に対する耐震性を有し、かつ電磁気的に改善された構造を有する情報処理装置に関する。
【背景技術】
【０００２】
従来の情報処理装置では、メンテナンス性の向上のためにハードディスクドライブなどの記憶装置を情報処理装置の筺体前面から着脱可能に備えているものがある。筺体前面から記憶装置を着脱可能とする場合、挿入された記憶装置の背面はバックボードに当接してバックボードのインターフェースコネクタに接続され、バックボードのインターフェースコネクタに予め接続されているインターフェースケーブルを介してマザーボードなどのメイン基板に接続され、プロセッサなどと通信を行う。また、多くの情報処理装置は内蔵部品の冷却のために空冷用のファンなどをもっており、これらのファンをプロセッサなどで監視し制御することで情報処理装置筺体内部の温度上昇を抑えている。
【０００３】
本技術分野の背景技術として特許文献１（特開２０１０−１９８６８１号公報）がある。この公報には着脱可能なハードディスクを備えたコンピュータにおいて、ハードディスクを脱挿入するスロットベースと筐体との間に防振ゴムを取り付けることが記載されている。
【先行技術文献】
【特許文献】
【０００４】
【特許文献１】特開２０１０−１９８６８１号公報
【発明の概要】
【発明が解決しようとする課題】
【０００５】
近年のハードディスクドライブなどの記憶装置はデータ通信の高速化と記憶容量の増加による面密度の増加により情報の書込みや読出を行う部品の高精度の位置決め制御が必要なために振動への耐性が低下してきている。
【０００６】
ハードディスクドライブに振動が加わると、情報の書き込みや読出を行うための部品の位置決めが難しくなってしまうために記憶されている情報を正しく書き込めなかったり、情報の読出に失敗したりしてしまうことがある。情報を正しく書き込み・読出を行えなかった場合にはプロセッサに正常に情報を伝達することができなくなってしまい、情報機器の誤動作やハードディスクドライブの破損などの事象が発生する。
【０００７】
しかし、多くの情報処理装置は部品の冷却のために、空冷用のファンなどの振動体を内部にもっており、これらのファンによる振動が筐体からハードディスクドライブなどへと伝播することで様々な問題が発生する要因となっており、ファンなどの振動体からハードディスクドライブなどの記憶装置への振動の伝播の低減が必要となっている。
【０００８】
また上記以外に情報処理装置に求められる要求、仕様としては、ハードディスクドライブの前面からの脱着を可能にすることがある。大規模なシステムを構成する場面では、多数台の情報処理装置が並列に室内に配置されるが、その背面には多くのケーブルや電力線が混在して配置されるので、必然的に全面操作とすることが避けられない。
【０００９】
またハードディスクドライブは精密部品なので、情報処理装置内に侵入した外部サージに対する電気的、磁気的な十分な対策が不可欠である。
【００１０】
これ等の要求や仕様を考慮した場合、ハードディスクドライブスロットは筺体前面で固定される片持ち支持とされるため、筺体に固定されない奥側（バックボード側）が振動することになり、奥側の振動源からの振動をハードディスクドライブに伝達しないための対応が必要である。この点、特許文献１ではハードディスクドライブスロットを筺体に固定する部分で防振ゴムを採用しているが、バックボード側が振動源となることに対して効果を発揮しない。さらに防振ゴムの使用に際しては、電気的に絶縁することになるため、サージからハードディスクドライブを守ることについての対応が求められる。
【００１１】
以上のことから本発明においては、ハードディスクドライブを筺体前面から脱着する場合に、防振性さらには電気的、磁気的に改善された情報処理装置を提供することを目的とする。
【課題を解決するための手段】
【００１２】
上記課題を解決するために本発明においては、筺体の前面にハードディスクドライブスロットを固定し、ハードディスクドライブスロットに形成された溝内にハードディスクドライブ固定金具により前面と側面を覆われたハードディスクドライブを収納し、ハードディスクドライブスロットの背面にバックボードを固定し、ハードディスクドライブがハードディスクドライブスロットに収納された状態でハードディスクドライブ背面の接続部とバックボードの接続部が当接して電気的に接続される情報処理装置において、ハードディスクドライブ固定金具とハードディスクドライブの間、およびハードディスクドライブスロットの背面とバックボードの間の固定処理は防振ゴムを介して行うことを特徴とする。
【発明の効果】
【００１３】
本発明によれば、内部冷却用のファンからの振動の伝播と装置外部からの振動の伝播を抑え、さらには電気的、磁気的影響を排除できるため、ハードディスクドライブの書込みや読出しおよび情報の伝達による情報機器の誤作動を無くすことができる。
【図面の簡単な説明】
【００１４】
【図１】本発明の情報処理装置における記憶装置取り付けの考え方を示す図。
【図２】本発明の情報処理装置における記憶装置取り付けの考え方を示す図。
【図３】ハードディスクドライブとその固定金具の接続関係を示す図。
【図４】防振ゴムの一例を示す図。
【図５】ハードディスクドライブ用スロットをその前面からみた図。
【図６】ハードディスクドライブ用スロットをその背面からみた図。
【図７】冷却ファンを取り付けるときの具体的な接続事例を示す図。
【図８】筺体内部の各部部材間の電気的な接続関係を表した図。
【発明を実施するための形態】
【００１５】
以下本発明の実施例について図を用いて説明する。
【実施例】
【００１６】
図１と図２により本発明の情報処理装置における記憶装置取り付けの考え方を説明する。図１において、１０は情報処理装置の筺体であり、１０Ｆが前面、１０Ｂが背面を表している。この図でＣ（Ｃ１からＣ５）は、筺体内の各部部材間の接続部である。
【００１７】
この接続関係によれば、まずハードディスクドライブ１は、その一部が接続部Ｃ２、防振ゴム３ａ、接続部Ｃ３を介してハードディスクドライブ固定金具４に固定されている。
【００１８】
図３は、ハードディスクドライブ１とハードディスクドライブ固定金具４の接続関係を示した図であり、ハードディスクドライブ１の前面と両側面を、コの字状をしたハードディスクドライブ固定金具４により覆い、固定する。ここではハードディスクドライブ固定金具４の両側の側板４Ｓに穿った孔２０に防振ゴム３ａを取り付け、防振ゴム３ａの中央穴を通して固定用ねじ２により固定する。
【００１９】
なお、図４は防振ゴム３の一例であり、中央が細くされた軸部３３と、両側の太い端部３１と、ねじ取り付け穴３２で構成される。ハードディスクドライブ固定金具４の両側の側板４Ｓの孔２０に防振ゴム３が挿入され、側板４Ｓの両側に防振ゴム３の端部３１が出るように取り付けられることで、ハードディスクドライブ１とハードディスクドライブ固定金具４の間の振動伝搬を抑止する。
【００２０】
ハードディスクドライブ１とハードディスクドライブ固定金具４の間に防振ゴム３を改装したことで、これらの間では電気的な接続関係が失われることから、これらの間にガスケット５を設け、電気的な接続関係を維持する。
【００２１】
ハードディスクドライブ１と一体に固定されたハードディスクドライブ固定金具４は、ハードディスクドライブ用スロット７に装着可能に取り付けられる。例えばハードディスクドライブ用スロット７に形成された溝にそって、筺体奥方向に挿入される。この取り付け関係では固定せず、圧着により移動を阻止していることから図３の側板４Ｓにはハードディスクドライブ用スロット７に押しつけるためのバネ６を備えている。
【００２２】
図１に戻り、次にハードディスクドライブ用スロット７は、その前面７Ｆの接続部Ｃ１において筺体前面１０Ｆに固定される。またハードディスクドライブ用スロット７はその背面７Ｂにおいて、接続部Ｃ４、防振ゴム３、接続部Ｃ５を介してバックボード８に固定される。
【００２３】
図５は、ハードディスクドライブ用スロット７をその前面７Ｆからみた図であり、概ね箱条に形成されたハードディスクドライブ用スロット７の前面に接続部Ｃ１を備え、この部分で情報処理装置の筺体前面１０Ｆにねじ止めされ固定される。なお、ハードディスクドライブ１と一体に固定されたハードディスクドライブ固定金具４は、ハードディスクドライブ用スロット７に形成された溝７１にそって、筺体奥方向に挿入される。
【００２４】
図６は、ハードディスクドライブ用スロット７をその背面７Ｂからみた図であり、概ね箱条に形成されたハードディスクドライブ用スロット７の背面７Ｂに接続部Ｃ４を備えている。またハードディスクドライブ用スロット７の背面７Ｂには、バックボード８が取り付けられるため、接続部Ｃ４に対向するバックボード８の面に接続部Ｃ５が設けられている。なおここでの接続にも図４で説明したと同じ防振ゴム３ｂを介したねじ止めが行われる。
【００２５】
なお、ハードディスクドライブ１はその背面側に電気的な接続端子を備えている。またバックボード８には、背面側の電気的な接続端子の当接位置にインターフェースコネクタを備えていて、ハードディスクドライブ１の挿入により電気的に接続される。またバックボード８には、インターフェースコネクタの出力端子８１が準備されており、出力端子８１からインターフェースケーブル（図示せず）を介してマザーボードなどのメイン基板に接続され、プロセッサなどと通信を行うことができる。
【００２６】
図２は、図１で述べた情報処理装置の筺体内にさらに振動源である冷却ファンを取り付けるときの考え方を示している。冷却ファン９は、接続部Ｃ６、防振ゴム３ｃ、接続部Ｃ７を介して情報処理装置の筺体前面に固定される。図７はこの場合の具体的な接続事例を示しているが、固定の考え方は図４などで説明したのと同じなので個々での説明を省略する。
【００２７】
図１、図２は本発明における筺体内部の各部部材の機械的な接続関係（固定関係）を示しているが、これを電気的な接続関係で表したものが図８である。図８に示すように筺体１０は接地点Ｅ１に接続されている。また筺体１０にねじ止めされるハードディスクドライブ用スロット７、およびそのスロットに接触して保持されるハードディスクドライブ固定金具４も接地点Ｅ１に接続されることになる。
【００２８】
これに対し、ハードディスクドライブ固定金具４に防振ゴム３ａを介して固定されたハードディスクドライブ１は、このままでは接地点Ｅ１に接続されない。このため、ハードディスクドライブ固定金具４とハードディスクドライブ１の間には、ガスケット６を設けることで電気的に設置電位に落としている。
【００２９】
なおバックボード８は、ハードディスクドライブ用スロット７に防振ゴム３ｂを介して固定されているため、筺体１０の設置点Ｅ１には接続されない。但し、バックボード８に接続されたケーブル３０を介して他の接地点Ｅ２に接続される。
【００３０】
以上詳細に述べたように、本実施例では、ハードディスクドライブ１を容易に着脱可能でありハードディスクドライブ１、ハードディスクドライブ１が装着されるスロット７、ハードディスクドライブ１をメイン基板に接続するためのバックボード８をゴム３を介してネジ固定する。
【００３１】
これによりハードディスクドライブ１はメンテナンス性を向上させるために、防振ゴム３を介してネジによって固定用金具４に取り付けられている。この金具に取り付けられたハードディスクドライブ１を装置前面から挿抜することにより、ハードディスクドライブ１を情報処理装置１０から容易に着脱することができる。
【００３２】
また、ハードディスクドライブ１を固定するためのスロット７とスロットに固定されたバックボード８の間も防振ゴム３を介しネジで固定することにより、筐体１０から直接ハードディスクドライブ１へ振動が伝播することを防ぐことができる。
【００３３】
また情報処理装置１０はプロセッサなどの内部部品を冷却するためのファン９を備えているが、冷却ファン９はハードディスクドライブに振動を与えないように、防振ゴムを介して筐体１０に固定されている。
【００３４】
また上記構成により、ハードディスクドライブ１に対する電気的、磁気的影響にも配慮している。例えば外部からの振動の伝播を防ぎつつ、電気的接触をハードディスクスロット７と持たせることにより、静電ノイズなどの外部から進入してくるノイズへの耐性強化を行うハードディスクドライブの実装例を示している。
【００３５】
図３に示すように、ハードディスクドライブ１は外部からの振動の伝播を防ぐために防振ゴム３ａを介してハードディスクドライブ固定金具４にネジ２で固定されているが、ゴムは絶縁体である為にハードディスクドライブ１が電気的に他と接続されていない状態になってしまうために、外部からの静電ノイズなどによって誤作動を起こす恐れがある。
【００３６】
そこで、ハードディスクドライブ１の側面、底面などをガスケット６などの導伝体で固定金具４に電気的に接触させ、また固定金具４とハードディスクドライブスロット７とは固定金具４に設けられたバネ２０を介して電気的に接触する構造としている。
【符号の説明】
【００３７】
１：ハードディスクドライブ
２：固定用ネジ
３：防振ゴム
４：ハードディスクドライブ固定金具
５：ガスケット
６：バネ
７：ハードディスクドライブスロット
８：バックボード
９：冷却ファン
【図１】
2014116052.tif 000003
【図２】
2014116052.tif 000004
【図３】
2014116052.tif 000005
【図４】
2014116052.tif 000006
【図５】
2014116052.tif 000007
【図６】
2014116052.tif 000008
【図７】
2014116052.tif 000009
【図８】
2014116052.tif 000010